(57)【特許請求の範囲】
【請求項１】
一対のひも穴つまみ（２２１，２２０）を有する靴本体（２０１）と、
下端部（１１１，１２１，１３１，１４１）及び上端部（１１２，１２２，１３２，１４２）を夫々有する第１、第２、第３、及び、第４のひもセクション（１１，１２，１３，１４）を含む靴ひもデバイス（１００）と、
上記第１乃至上記第４のひもセクション（１１，１２，１３，１４）の中央部分（１１３，１２３，１３３，１４３）上で摺動可能にスリーブが付けられる締め付け部材（２０）と、
上記締め付け部材（２０）に外面的に固定され、配置される装飾用の結びひも（３０）とを有し、
上記第１乃至第４のひもセクション（１１，１２，１３，１４）の上記下端部（１１１，１２１，１３１，１４１）は上記靴本体（２０１）に固定され、
上記第１及び第２のひもセクション（１１，１２）の上記上端部（１１２，１２２）は第１のループ（Ｉ）を形成するために相互接続され、
上記第３及び上記第４のひもセクション（１３，１４）の上記上端部（１３２，１４２）は第２のループ（ＩＩ）を形成するために相互接続され、
上記第１乃至上記第４のひもセクション（１１，１２，１３，１４）に沿って上記締め付け部材（２０）を下方向に移動させることにより上記靴本体（２０１）を引き締めるために上記第１乃至上記第４のひもセクション（１１，１２，１３，１４）の上記下端部（１１１，１２１，１３１，１４１）が近付けられ、
上記第１乃至上記第４のひもセクション（１１，１２，１３，１４）に沿って上記締め付け部材（２０）を上方向に移動させることにより上記靴本体（２０１）を緩めるために上記第１乃至上記第４のひもセクション（１１，１２，１３，１４）の上記下端部（１１１，１２１，１３１，１４１）が互いから遠ざけられることを可能にし、
上記装飾用の結びひも（３０）は、上記第１のループ（Ｉ）と上記第２のループ（ＩＩ）との間に配置され、結び目部分（３２）及び上記結び目部分（３２）から延在する一対の遠位部分（３３）を有することを特徴とする靴。
【請求項２】
上記締め付け部材（２０）は、
第１の方向に互いから離間された反対の横の開端部分（２１３）を含む細長いケーシング（２１）と、
上記ケーシング（２１）の上記開端部分（２１３）中に摺動可能に夫々受容される一対の締め付けブロック（２２）と、
上記ケーシング（２１）中に配置され、上記ケーシング（２１）の上記開端部分（２１３）から外向きに上記締め付けブロック（２２）を附勢させるために上記締め付けブロック（２２）に対して夫々衝合する両端（２３１）を有し、それにより、上記締め付けブロック（２２）と上記ケーシング（２１）との間で上記第１乃至上記第４のひもセクション（１１，１２，１３，１４）の上記中央部分（１１３，１２３，１３３，１４３）を締め付ける附勢部材（２３）とを有し、上記各開端部分（２１３）は、上記第１の方向に対して横方向の第２の方向に配置され、上記第１並びに上記第２のひもセクション（１１，１２）及び上記第３並びに上記第４のひもセクション（１３，１４）の夫々の対の上記中央部分（１１３，１２３，１３３，１４３）が中に延在することを可能にさせる一対の垂直に延在する穴ユニット（２１４，２１５）を有して形成され、
上記各締め付けブロック（２２）は、上記第１並びに上記第２のひもセクション（１１，１２）、及び、上記第３並びに上記第４のひもセクション（１３，１４）の夫々の対の上記中央部分（１１３，１２３，１３３，１４３）の延在のために上記ケーシング（２１）の上記開端部分（２１３）の対応する一つに対応する一対の垂直に延在するスロットユニット（２２３）を有して形成されることを特徴とする請求項１記載の靴。
【請求項３】
上記装飾用の結びひも（３０）は、上記ケーシング（２１）に固定された保持部分（３１）を更に有し、
上記結び目部分（３２）は、上記保持部分（３１）に接続され、上記ケーシング（２１）に外面的に配置され、
上記第１乃至上記第４のひもセクション（１１，１２，１３，１４）の上記中央部分（１１３，１２３，１３３，１４３）は更に上記ケーシング（２１）と上記結び目部分（３２）との間に更に延在することを特徴とする請求項２記載の靴。
【請求項４】
上記第１のループ及び上記第２のループ（ＩＩ）の一方は、上記第１のループ（Ｉ）及び上記第２のループ（ＩＩ）の他方のループの中を延在することを特徴とする請求項１記載の靴。
【請求項５】
上記靴ひもデバイス（１００）は、上記第１及び上記第２のひもセクション（１１，１２）の一方の上記下端部（１１１，１２１）に固定される第１のフック部材（５０）と、
上記第３及び上記第４のひもセクション（１３，１４）の一方の上記下端部（１３１，１４１）に固定される第２のフック部材（５１）とを更に含み、
上記第１及び上記第２のフック部材（５０，５１）は、上記靴本体（２０１）の上記ひも穴つまみ（２２０，２２１）上に取り外し可能に引っ掛けられることを特徴とする請求項１記載の靴。
【請求項６】
第１及び第２のひも穴つまみを有する靴のためのダブルボウひも穴デバイスであって、
下端部（１５２１，１５３１，１５４１，１５５１，１５６１，１５７１）及び上端部（１５２２，１５３２，１５４２，１５５２，１５６２，１５７２）を夫々有する第１、第２、第３、第４、第５、及び、第６のひもセクション（１５２０，１５３０，１５４０，１５５０，１５６０，１５７０）と、
上記第１及び上記第２のひもセクション（１５２０，１５３０）の上記上端部（１５２２，２５３２）と上記下端部（１５２１，１５３１）との間で上記第１及び上記第２のひもセクション（１５２０，１５３０）の中央部分（１５２３，１５３３）上で摺動可能にスリーブが付けられる締め付け部材（２０ａ）と、
上記締め付け部材（２０ａ）に外面的に固定され、配置される装飾用の結びひも（３０ａ）とを有し、
上記第１及び上記第２のひもセクション（１５２０，１５３０）の上記下端部（１５２１，１５３１）は上記第１のひも穴つまみ（２２１）上に固定されるよう適合され、
上記第３及び上記第４のひもセクション（１５４０，１５５０）の上記下端部（１５４１，１５５１）は上記第２のひも穴つまみ（２２０）上に固定されるよう適合され、
上記第１及び上記第２のひもセクション（１５２０，１５３０）の上記上端部（１５２２，１５３２）は第１のループ（Ｉ）を形成するために相互接続され、
上記第５及び上記第６のひもセクション（１５６０，１５７０）の上記上端部（１５６２，１５７２）は第２のループ（ＩＩ）を形成するために相互接続され、
上記第３及び上記第４のひもセクション（１５４０，１５５０）の少なくとも一方の上記上端部（１５４２，１５５２）は、上記締め付け部材（２０ａ）上に固定され、
上記第５及び上記第６のひもセクション（１５６０，１５７０）の上記下端部（１５６１，１５７１）は上記締め付け部材（２０ａ）上に固定され、
上記装飾用の結びひも（３０）は、上記第１のループ（Ｉ）と上記第２のループ（ＩＩ）との間に配置され、結び目部分（３２）及び上記結び目部分（３２）から延在する一対の遠位部分（３３）を有することを特徴とする靴。
【請求項７】
上記締め付け部材２０ａは、
底基板（２１４ａ）、及び、上記底基板（２１４ａ）の反対側にある上カバー板（２１４ａ）を含み、横の開端部分（２１３ａ）及び上記開端部分（２１３ａ）の反対側にある閉端部分（２１１ａ）を含む細長いケーシング（２１ａ）と、
上記ケーシング（２１ａ）の上記開端部（２１３ａ）中に摺動可能に受容され、上記第１及び上記第２のひもセクション（１５２０，１５３０）の上記中央部分（１５２３，１５３３）を中に延在させるために上記ケーシング（２１ａ）中の上記第１のひも穴（２１５ａ）に対応する一対の垂直に延在するスロットユニット（２２３ａ）を有して形成される締め付けブロック（２２ａ）と、
上記ケーシング（２１ａ）中に配置され、上記ケーシング（２１ａ）の上記開端部分（２１３ａ）から外向きに上記締め付けブロック（２２）を附勢させるために上記締め付けブロック（２２ａ）と上記ケーシング（２１ａ）の上記閉端部（２１１ａ）に対して夫々衝合する両端（２３１ａ）を有し、それにより、上記締め付けブロック（２２ａ）と上記ケーシング（２１ａ）との間で上記第１及び上記第２のひもセクション（１５２０，１５３０）の上記中央部分（１５２３，１５３３）を締め付ける附勢部材（２３ａ）とを有し、
上記上カバー板（２１２ａ）は、アパーチャ（２１８ａ）を有し、
上記底基板（２１４ａ）は一対の第１のひも穴（２１５ａ）、及び、一対の第２のひも穴（２１６ａ）を有して形成され、
上記第１及び上記第２のひもセクション（１５２０，１５３０）の上記中央部分（１５２３，１５３３）は上記第１のひも穴（２１５ａ）及び上記アパーチャ（２１８ａ）を通じて延在し、
上記第３及び上記第４のひもセクション（１５４０，１５５０）の上記上端部（１５４２，１５５２）は、上記結び目（４２１，５２１）が上記ケーシング（２１ａ）中に配置されるよう上記第２のひも穴（２１６ａ）を通じて延在し、上記第５及び上記第６のひもセクション（１５６０，１５７０）の上記下端部（１５６１，１５７１）は上記第３及び上記第４のひもセクション（１５４０，１５５０）の上記上端部（１５４２，１５５２）と接続するよう上記アパーチャ（２１８ａ）を通じて延在することを特徴とする請求項６記載のダブルボウ靴ひもデバイス。
【請求項８】
上記底基板（２１４ａ）は更に一対の第３のひも穴（２１７ａ）を有し、
上記上カバー板（２１２ａ）は上記アパーチャ（２１８ａ）上に延在し、上記第３のひも穴（２１７ａ）に対応する一対の第４のひも穴（２１９１）を有して形成される位置決めリブ（２１９ａ）を有し、
上記結び目部分（３２ａ）は上記上カバー板（２１２ａ）上に配置され、
上記装飾用の結びひも（３０ａ）は上記結び目部分（３２ａ）に接続される上端部（３４１ｂ）、並びに、上記第３及び上記第４のひも穴（２１７ａ，２１９１）を通って延在する下端部（３４１ｃ）を含む一対の保持脚部（３４１ａ）、及び、上記保持脚部（３４１ａ）の上記下端部（３４１ｃ）を上記底基板（２１４ａ）の下で相互接続するブリッジ脚部（３４１３）を更に有することを特徴とする請求項７記載のダブルボウ靴ひもデバイス。
【請求項９】
上記第１のループ及び上記第２のループ（ＩＩ）の一方は、上記位置決めリブ（２１９ａ）の下で上記第１のループ（Ｉ）及び上記第２のループ（ＩＩ）の他方のループの中を延在することを特徴とする請求項８記載のダブルボウ靴ひもデバイス。
【発明の詳細な説明】
【０００１】
【発明の属する技術分野】
本発明は、靴、より特定的にはダブルボウ靴ひもデバイスを有する靴に関わる。
【０００２】
【従来の技術】
図１を参照するに、従来の靴４は、靴本体４１と靴ひもデバイス１とを有する。靴本体４１は、一対のひも穴つまみ５を含む。靴ひもデバイス１は、第１及び第２のひもセクション２０１並びに２０２、及び、締め付け部材３を含む靴ひも２を有する。第１のひもセクション２０１は、ひも穴つまみ５上に交差模様が形成されるよう靴本体４１を通される。第２のひもセクション２０２は、簡単なループとして形成され、第１のひもセクション２０１に接続された下端部２０２１を有し、それにより靴ひもつまみ５夫々に下端部２０２１を固定する。図２に示すように、締め付け部材３は、細長いケーシング３０１、締め付けブロック３０２、及び、ばね部材３０３を含む。細長いケーシング３０１は、締め付けブロック３０２を受容する横の開端部３０１０、開端部３０１０の反対側にある閉端部３０１１、及び、垂直に延在する穴ユニット３０１’から形成され、この穴ユニット３０１’を通じて第２のひもセクション２０２の下端部２０２１が延在する。締め付けブロック３０２は、ケーシング３０１の開端部３０１０中に摺動可能に受容され、第２のひもセクション２０２の下端部２０２１を中に延在させるための、ケーシング３０１の穴ユニット３０１’に対応する垂直に延在するスロットユニット３０２１により形成される。ばね部材３０３は、ケーシング３０１中に配置され、締め付けブロック３０２と、ケーシング３０１の閉端部３０１１に対して夫々衝合する両端を有する。このようにして、締め付けブロック３０２は、第２のひもセクション２０２を締め付けブロック３０２とケーシング３０１との間で締め付けるために穴ユニット３０１’とスロットユニット３０２１を不整合にするようばね部材３０３によって附勢される。
【０００３】
靴４を引き締めるためには、締め付け部材３は第２のひもセクション２０２に沿って下向きに強制的に移動され、それにより、第２のひもセクション２０２の下端部２０２１をより近付ける。靴４を緩めるためには、締め付けブロック３０２は、ばね部材３０３の動作に対してスロットユニット３０２１を穴ユニット３０１’と整合させるように動作され、締め付け部材３は、第２のひもセクション２０２に沿って上向きに移動され、従って、第２のひもセクション２０２の下端部２０２１を互いから離すよう移動させることを可能にする。
【０００４】
前述の靴４は、使用するに容易な靴ひもデバイスを有するが、第２のひもセクション２０２の簡単なループ構造の外見が好ましくない。
【０００５】
【発明が解決しようとする課題】
従って、本発明は、ダブルボウ靴ひもデバイスを有する靴を提供することを主な目的とする。
【０００６】
【課題を解決するための手段】
従って、本発明の靴は、靴本体と靴ひもデバイスとを有する。靴本体は、一対のひも穴つまみを有する。靴ひも装置は、下端部並びに上端部を夫々有する第１、第２、第３、及び、第４のひもセクション、締め付け部材、及び、装飾用の結びひもを有する。第１乃至第４のひもセクションの下端部は、靴本体に固定される。第１及び第２のひもセクションの上端部は、第１のループを形成するために相互接続される。第３及び第４のひもセクションは、第２のループを形成するために相互接続される。締め付け部材は、第１乃至第４のひもセクションの中央部分上に摺動可能にスリーブがつけられる。締め付け部材を第１乃至第４のひもセクションに沿って下向きに移動させることは、靴本体を引き締めるために第１乃至第４のひもセクションの下端部をより近付ける。締め付け部材を第１乃至第４のひもセクションに沿って上向きに移動させることは、靴本体を緩めるために第１乃至第４のひもセクションの下端部をより遠ざける。装飾用の結びひもは、締め付け部材に外面的に固定され且つ配置され、第１のループと第２のループとの間に配置され、結び目部分及び結び目部分から延在する一対の遠位部分を有する。
【０００７】
【発明の実施の形態】
本発明の他の特徴及び利点は、添付の図面を参照して好ましい実施例の以下の詳細な説明から明らかになる。
【０００８】
本発明をより詳細に説明する前に、同様の要素は本開示を通じて同様の参照番号によって示されることに注意すべきである。
【０００９】
図３を参照するに、本発明による靴２００の第１の好ましい実施例は、靴本体２０１と靴ひもデバイス１００とを有して示される。靴本体２０１は、一対のひも穴つまみ２２１並びに２２０、及び、舌革２３０を有する。保持部２５０は舌革２３０に縫い付けられる。靴ひもデバイス１００は、靴ひも１０、締め付け部材２０、及び、装飾用の結びひも３０を含む。靴ひも１０は、ひも穴つまみ２２１並びに２２０上に交差模様を形成するために従来の方法で靴本体２０１に通される第１のひもセグメント、及び、下端部並びに上端部を夫々含む第１、第２、第３、並びに、第４のひもセクション１１、１２、１３、並びに、１４を含む第２のひもセグメントを有する。第１のひもセグメントは、ひも穴つまみ２２１並びに２２０によって隠される遠位端を含む。第１乃至第４のひもセクション１１、１２、１３、並びに、１４の下端部１１１、１２１、１３１、並びに、１４１は、以下にする方法で靴本体２０１上に固定される。第１及び第２のひもセクション１１並びに１２の上端部１１２並びに１２２は、第１のループ（Ｉ）を形成するために相互接続される。第３並びに第４のひもセクション１３並びに１４の上端部１３２並びに１４２は、第２のループ（ＩＩ）を形成するために相互接続される。第１及び第２のループ（Ｉ）、（ＩＩ）の一方のループは、第１及び第２のループ（Ｉ）、（ＩＩ）の他方のループの中を通って延在する。更に、ストップリング４０は、第１乃至第４のひもセクション１１、１２、１３、並びに、１４夫々の上端部１１２、１２２、１３２、並びに、１４２上で適当にスリーブを付けられる。
【００１０】
締め付け部材２０は、第１乃至第４のひもセクション１１、１２、１３、並びに、１４、の中央部分１１３、１２３、１３３、並びに、１４３上で摺動可能にスリーブが付けられる。図４に示すように、締め付け部材２０は細長いケーシング２１、一対の締め付けブロック２２、及び、附勢部材２３を有する。細長いケーシング２１は、第１の方向に互いから離間されている横の開端部分２１３を両端に有する。ケーシング２１の各開端部分２１３は、端面２１３１を有し、第１の方向に対して横方向の第２の方向に配置され、一対の垂直に延在する穴ユニット２１４並びに２１５で形成され、これら穴ユニットを通じて第１並びに第２のひもセクション１１並びに１２、及び、第３並びに第４のひもセクション１３並びに１４の夫々の組の中央部分１１３、１２３、１３３、並びに、１４３が延在することを可能にする。ケーシング２１は、底基板２１１、及び、底基板２１１に接続された湾曲した上カバー板２１２を含む。各穴ユニット２１５、２１４は、上カバー板２１２中に形成される上穴部２１５、及び、底基板２１１中に形成される底穴部２１４を有する。図６及び図７に最もよく示すように、底穴部２１４は、上穴部２１５よりも開端部分２１３の対応する一方の端面２１３１に近接して配置される。更に、２つの垂直に延在する穴２１６がケーシング２１の開端部分２１３の間に形成される。
【００１１】
締め付けブロック２２は、ケーシング２１の開端部分２１３中に摺動可能に夫々受容され、第１並びに第２のひもセクション、及び、第３並びに第４のひもセクション１３並びに１４の夫々の対の中央部分１１３、１２３、１３３、並びに、１４３を延在させるためにケーシング２１の開端部分２１３の対応する一方の一対の穴ユニット２１４並びに２１５に夫々対応する一対の垂直に延在するスロットユニット２２３と夫々形成される。
【００１２】
コイルばねの形態にある附勢部材２３は、ケーシング２１中に配置され、ケーシング２１の開端部分２１３から外向きに締め付けブロック２２を附勢するために締め付けブロック２２に対して夫々衝合する両端２３１を有する。このようにして、締め付けブロック２２は、第１乃至第４のひもセクション１１、１２、１３、並びに、１４の中央部分１１３、１２３、１３３、並びに、１４３を締め付けブロック２２とケーシング２１との間で締め付けるために、スロットユニット２２３を穴ユニット２１４並びに２１５と不整合にさせるよう附勢部材２３によって附勢される。図７及び図８に示すように、第１乃至第４のひもセクション１１、１２、１３、並びに、１４に沿って締め付け部材２０を下方向に移動することにより、靴本体２０１を引き締めるために第１乃至第４のひもセクション１１、１２、１３、並びに、１４の下端部１１１、１２１、１３１、並びに、１４１をより近付ける。図５に示すように、第１乃至第４のひもセクション１１、１２、１３、並びに、１４に沿って締め付け部材２０を上方向に移動することにより、靴本体２０１を緩めるために第１乃至第４のひもセクション１１、１２、１３、並びに、１４の下端部１１１、１２１、１３１、並びに、１４１が互いから遠ざけられることを可能にする。
【００１３】
装飾用の結びひも３０は、締め付け部材２０上に外面的に固定され、且つ、配置され、更に、第１のループ（Ｉ）と第２のループ（ＩＩ）との間に更に配置される。装飾用の結びひも３０は、Ｕ字形状の保持部分３１、結び目部分３２、及び、一対の遠位部分３３を含む。保持部分３１は、ケーシング２１に固定されるよう、ケーシング２１中の穴２１６を通って延在するセグメントを有する。結び目部分３２は、保持部分３１に接続され、ケーシング２１に外面的に配置される。遠位部分３３夫々は、結び目部分３２から延在する。第１乃至第４のひもセクション１１、１２、１３、並びに、１４の中央部分１１３、１２３、１３３、並びに、１４３は、更にケーシング２１と結び目部分３２との間に延在する。
【００１４】
使用中、第１及び第２のループ（Ｉ）及び（ＩＩ）を引っ張ることにより、締め付け部材２０はひもセクション１１、１２、１３、並びに１４に沿って下向きに摺動され、このひもセクション１１、１２、１３、１４の下端部１１１、１２１、１３１、並びに、１４１は、靴２００を引き締めるために同時に近付けられる。靴２００を緩めるためには、締め付けブロック２２は附勢部材２３を圧縮するために動作され、それにより、スロットユニット２２３と穴ユニット２１４並びに２１５を整合させる。この時点では、締め付け部材２０をひもセクション１１、１２、１３、並びに、１４に沿って上向きに移動することによって、ひもセクション１１、１２、１３、並びに、１４の下端部１１１、１２１、１３１、並びに、１４１は靴を緩めるために互いから遠ざけられ得る。
【００１５】
従って、靴２００は、着脱が容易なだけでなく、靴ひもデバイス１００のダブルボウ構造を考慮して好ましい外見を有する。
【００１６】
第１の好ましい実施例では、第２の及び第４のひもセクション１２及び１４の下端部１２１及び１４１は、ひも穴つまみ２２１及び２２０中の２つのひも穴２４１及び２６１において第１のひもセグメントと接続される。第１のひもセクション１１の下端部１１１は、左のひも穴つまみ２２１のひも穴２４０を通じて延在し、舌革２３０上の保持部２５０を通り抜け、第３のひもセクション１３の下端部１３１と接続するために右のひも穴つまみ２２０へ交差する。
【００１７】
図９は、本発明による靴２００の第２の好ましい実施例を示す図である。第１の好ましい実施例とは違い、位置決め結び目２５１が舌革２３０の保持部２５０の上で結ばれ、第１及び第３のひもセクション１１及び１３の下端部１１１及び１３１に接続される両端を有する。
【００１８】
第２の好ましい実施例の靴２００は、第１の好ましい実施例の靴と略同様に動作する。本実施例では、靴ひもデバイス１００は、保持部２５０上の位置決め結び目２５１があることにより効果的に引き締められ得る。
【００１９】
図１０参照するに、本発明による靴２００の第３の好ましい実施例は、先の好ましい実施例と略同様にして示される。しかしながら、先の実施例と違い、靴ひもデバイス１００は一対のフック部材５０並びに５１を更に含む。第１のフック部材５０は、一つのひも穴２４０で靴本体２０１のひも穴つまみ２２１上に第１のひもセクション１１の下端部１１１を取り外し可能に固定するために使用される。第２のフック部材５１は、一つのひも穴２６０で靴本体２０１のひも穴つまみ２２０上に第３のひもセクション１３の下端部１３１を取り外し可能に固定するために使用される。
【００２０】
図１１を参照するに、本発明による靴２００の第４の好ましい実施例は、靴本体２０１とダブルボウ靴ひもデバイス１００とを有する。靴本体２０１は、第１及び第２のひも穴つまみ２２１及び２２０を有する。靴ひもデバイス１００は、靴ひも１５、締め付け部材２０ａ、及び、装飾用の結びひも３０ａを含む。靴ひも１５は、ひも穴つまみ２２１、２２０上で交差模様を形成するよう従来の方法で靴本体２０１に通される第１のひもセグメントと、第１、第２、第３、第４、第５、及び第６のひもセクション１５２０、１５３０、１５４０、１５５０、１５６０、及び、１５７０を含む第２のひもセグメントとを有する。第１のひもセグメントは、ひも穴つまみ２２１、２２０によって隠された遠位端１５１０を有する。図１４を更に参照するに、６つのひもセクション１５２０、１５３０、１５４０、１５５０、１５６０、及び、１５７０夫々は、下端部１５２１、１５３１、１５４１、１５５１、１５６１、及び、１５７１と、上端部１５２２、１５３２、１５４２、１５５２、１５６２、及び、１５７２とを有する。第１及び第２のひもセクション１５２０及び１５３０の下端部１５２１及び１５３１は、第１のひも穴つまみ２２１の第１及び第２のひも穴２４１及び２４０に夫々固定される。第３及び第４のひもセクション１５４０及び１５５０の下端部１５４１及び１５５１は、第２のひも穴つまみ２２０の第１及び第２のひも穴２６１及び２７１と夫々掛合するよう適合される夫々の結び目４１１、５１１で形成され、それにより、下端部１５４１及び１５５１を第２のひも穴つまみ２２０上に固定する。第１及び第２のひもセクション１５２０及び１５３０の上端部１５２２及び１５３２は、第１のループ（Ｉ）を形成するために相互接続される。第５及び第６のひもセクション１５６０及び１５７０の上端部１５６２及び１５７２は、第２のループ（ＩＩ）を形成するために相互接続される。本実施例では、第１及び第３のひもセクション１５２０及び５４０の下端部１５２１及び１５４１は、第１のひもセグメントに接続される。第２及び第４のひもセクション１５３０及び１５５０の下端部１５３１、１５５１は、互いに接続される。
【００２１】
締め付け部材２０ａは、第１及び第２のひもセクション１５２０及び１５３０の上端部と下端部１５２２及び１５３２と１５２１及び１５３１との間で第１及び第２のひもセクション１５２０及び１５３０の中央部分１５２３及び１５３３上で摺動可能にスリーブが付けられる。更に図１２を参照するに、締め付け部材２０ａは、細長いケーシング２１ａ、締め付けブロック２２ａ、及び、附勢部材２３ａを含む。細長いケーシング２１ａは、横の開端部分２１３ａ、及び開端部分２１３ａの反対側にある閉端部分２１１ａを有し、底基板２１４ａ及び底基板２１４ａの反対側にある上カバー板２１２ａを含む。上カバー板２１２ａは、アパーチャ２１８ａを有して形成され、アパーチャ２１８ａをわたって延在する位置決めリブ２１９ａを有する。底基板２１４ａは、一対の第１のひも穴２１５ａ、一対の第２のひも穴２１６ａ、及び、一対の第３のひも穴２１７ａで形成される。位置決めリブ２１９ａは、第３のひも穴２１７ａに対応する一対の第４のひも穴２１９１有して形成される。第１及び第２のひもセクション１５２０及び１５３０の中央部分１５２３、１５３３は、第１のひも穴２１５ａ及びアパーチャ２１８ａを通じて延在する。第３及び第４のひもセクション１５４０及び１５５０の上端部１５４２及び１５５２は、第２のひも穴２１６ａを通じて延在し、ケーシング２１ａ中に配置される夫々の結び目４２１及び５２１を有して形成され、それにより、第３及び第４のひもセクション１５４０及び１５５０の上端部１５４２及び１５５２を締め付け部材２０ａ上に固定する。第５及び第６のひもセクション１５６０及び１５７０の下端部１５６１、１５７１は、第３及び第４のひもセクション１５４０及び１５５０の上端部１５４２及び１５５２と接続するためにアパーチャ２１８ａを通じて夫々延在し、それにより第５及び第６のひもセクション１５６０及び１５７０の下端部１５６１及び１５７１を締め付け部材２０ａに固定する。締め付けブロック２２ａは、ケーシング２１ａの開端部分２１３ａ中に摺動可能に受容され、第１及び第２のひもセクション１５２０及び１５３０の中央部分１５２２３及び１５３３を中に延在させるためにケーシング２１ａの底基板２１４ａ中の第１のひも穴２１５ａに対応する、一対の垂直に延在するスロットユニット２２３ａを有して形成される。コイルばねの形態にある附勢部材２３ａは、ケーシング２１ａ中に配置され、締め付けブロック２２ａとケーシング２１ａの及び閉端部分２１１ａに対して夫々衝合する両端２３１ａを有し、ケーシング２１ａの開端部分２１３ａから外向きに締め付けブロック２２ａを附勢し、それにより図１４に最もよく示すように、締め付けブロック２２ａとケーシング２１ａとの間で第１及び第２のひもセクション１５２０及び１５３０の中央部分１５２３及び１５３３を締め付ける。
【００２２】
本実施例では、第３及び第４のひもセクション１５４０及び１５５０夫々の上端部及び下端部１５４２及び１５５２と、１５４１及び１５５１上の結び目４２１及び５２１と、４１１及び５１１とは、第２のひも穴つまみ２２０からの締め付け部材２０ａの最大の距離を制限するために協働する。第１及び第２のループ（Ｉ）（ＩＩ）の一方のループは、第１及び第２のループ（Ｉ）（ＩＩ）の他方のループを位置決めリブ２１９ａの下で通す。
【００２３】
装飾用の結びひも３０ａは、第１のループ（Ｉ）と第２のループ（ＩＩ）との間で締め付け部材２０ａに外面的に固定され、配置される。図１１を再び参照するに、装飾用の結びひも３０ａは、結び目部分３２ａ、結び目部分３２ａから延在する一対の遠位部分３３ａ、及び、一対の保持脚部３４１ａを有する。結び目部分３４２ａは、上カバー板２１２ａの位置決めリブ２１９ａ上に配置される。保持脚部３４１ａは、結び目部分３４２ａに接続される上端部３４１ｂ、及び、第３及び第４のひも穴２１７ａ及び２１９１を通じて延在する下端部３４１ｃを有する。ブリッジ脚部３４１３は、底基板２１４ａの下で下端部３４１ｃと相互接続する。
【００２４】
使用中、第１のループ（Ｉ）が位置決めリブ２１９ａの方向に引っ張られるとき、締め付け部材２０ａは、図１３乃至図１５に示すように、第１乃至第４のひもセクション１５２０、１５３０、１５４０、及び、１５５０の下端部１５２１、１５３１、１５４１、及び、１５５１、従って、第１及び第２のひも穴つまみ２２１及び２２０を靴２００を引き締めるために近付けられるよう、第１及び第２のひもセクション１５２０及び１５３０の中央部分１５２３及び１５３３に沿って下向きに摺動されるように押される。靴２００を緩めるために、締め付けブロック２２ａは、附勢部材２３ａを圧縮するために動かされ、それにより、図１５に示すように、スロットユニット２２３ａを第１のひも穴２１５ａと整合させる。このときには、締め付け部材２０ａは、第１及び第２のひもセクション１５２０及び１５３０の中央部分１５２３及び１５３０に沿って上向きに摺動され得、第１及び第２のひもセクション１５２０及び１５３０の下端部１５２１及び１５３１を靴２００を緩めるために互いから遠ざけられることを可能にする。
【００２５】
第１及び第３のひもセクション１５２０及び１５４０と、第２及び第４のひもセクション１５３０及び１５５０とが延在するひも穴は、互いから離間されて形成され得、それにより第３及び第４のひもセクション１５４０及び１５５０の長さは増加され得、靴２００の簡単な着脱を容易にするために締め付け部材２０ａがより大きく動くことを可能にする。或いは、靴２００の簡単な着脱を容易にするために第３及び第４のひもセクション１５４０及び１５５０の下端部１５４１及び１５５１を靴２００のひも穴つまみ２２０に取り外し可能に固定するようひも穴２６１、２６０の代わりに一対のヒッチ部材（図示せず）が使用され得る。
【００２６】
本発明は、最も実際的で且つ最も好適だと思われる実施例に関連して説明したが、本発明は開示される実施例に制限されるものではなく、全ての変更及び等価の配置を包含するよう広い解釈の目的及び範囲内の様々な配置を含むことを目的とする。
【図面の簡単な説明】
【図１】従来の靴の斜視図である。
【図２】従来の靴の靴ひもデバイスの締め付け部材の断面図である。
【図３】本発明による靴の第１の好ましい実施例の斜視図である。
【図４】本発明による靴の靴ひもデバイスの締め付け部材の分解斜視図である。
【図５】締め付け部材を上方向に移動させることが靴のひもを緩めるためにどのようにしてひもセクションの下端部を互いから遠ざけるかを示す斜視図である。
【図６】靴のひもを引き締めるためにひもセクションの下端部がどのようにして締め付け部材によって締め付けられているかを示す断面図である。
【図７】一対のループを互いから引っ張るとどのようにして靴本体が引き締められるかを示す断面図である。
【図８】第１の好ましい実施例の靴を示す斜視図である。
【図９】本発明による靴の第２の実施例を示す斜視図である。
【図１０】本発明による靴の第３の好ましい実施例を示す部分的に分解された斜視図である。
【図１１】本発明による靴ひもデバイスを有する靴の第４の実施例の斜視図である。
【図１２】図１１の実施例の靴ひもデバイスの締め付け部材の分解斜視図である。
【図１３】引き締められた状態にある第４の実施例を示す斜視図である。
【図１４】一対のループを引っ張ることでどのようにして第４の好ましい実施例の靴が引き締まるかを示す部分断面図である。
【図１５】締め付け部材の動きがどのようにして第４の好ましい実施例の靴を緩めることを可能にするかを示す部分断面図である。
【符号の説明】
１１      第１のひもセクション
１２      第２のひもセクション
１３      第３のひもセクション
１４      第４のひもセクション
２０      締め付け部材
２１      細長いケーシング
２２      締め付けブロック
３０      装飾用の結びひも
３２      結び目部分
１００    靴ひもデバイス
１１１    第１のひもセクションの下端部
１２１    第２のひもセクションの下端部
１３１    第３のひもセクションの下端部
１４１    第４のひもセクションの下端部
１１２    第１のひもセクションの上端部
１２２    第２のひもセクションの上端部
１３２    第３のひもセクションの上端部
１４２    第４のひもセクションの上端部
１１３，１２３，１３３，１４３  中央部分
２０１    靴本体
２１１    閉端部
２１２ａ  上カバー板
２１４ａ  底基板
２１３    開端部
２１４，２１５  穴ユニット
２１５ａ  一対の第１の穴
２１６ａ  一対の第２の穴
２１７ａ  一対の第３の穴
２１８ａ  アパーチャ
２２３    スロットユニット
４２１，５２１  結び目
１５２０  第１のひもセクション
１５３０  第２のひもセクション
１５４０  第３のひもセクション
１５５０  第４のひもセクション
１５６０  第５のひもセクション
１５７０  第６のひもセクション
１５２１  第１のひもセクションの下端部
１５３１  第２のひもセクションの下端部
１５４１  第３のひもセクションの下端部
１５５１  第４のひもセクションの下端部
１５６１  第５のひもセクションの下端部
１５７１  第６のひもセクションの下端部
１５２２  第１のひもセクションの上端部
１５３２  第２のひもセクションの上端部
１５４２  第３のひもセクションの上端部
１５５２  第４のひもセクションの上端部
１５６２  第５のひもセクションの上端部
１５７２  第６のひもセクションの上端部
【図１】
0003590788.tif 000002
【図２】
0003590788.tif 000003
【図３】
0003590788.tif 000004
【図４】
0003590788.tif 000005
【図５】
0003590788.tif 000006
【図６】
0003590788.tif 000007
【図７】
0003590788.tif 000008
【図８】
0003590788.tif 000009
【図９】
0003590788.tif 000010
【図１０】
0003590788.tif 000011
【図１１】
0003590788.tif 000012
【図１２】
0003590788.tif 000013
【図１３】
0003590788.tif 000014
【図１４】
0003590788.tif 000015
【図１５】
0003590788.tif 000016